(57)【要約】【課題】手術室構築後も必要に応じて医療機器のレイアウトを変えることができるとともに、デッドスペースが少なく、使い勝手のよい手術室の内壁面構造を提供する。【解決手段】横断面略コ字状のダクト７，８を手術室壁面内に水平に固設し、該ダクト中に配管１８、配線２０を配設し、該配管と連通する各種プラグ３１が実装された配管接続パネル３０および該配線と連なる各種コンセント３６が実装された電気系統接続パネル３５を該ダクト７，８の開口７ａ，８ａに取着する一方、医療機器４０の背面に突設されたフック４１，４２を該ダクトの開口縁に引っ掛けて内壁面に取着する。開口７ａ，８ａのうちこれらパネルおよび医療機器によって閉じられていない部分には表装蓋部材５５を取着する。【選択図】図８
2013122137.tif 000002
【特許請求の範囲】
【請求項１】
一側面が開口した横断面略コ字状のダクトを該開口が室内に面するように手術室壁面内に水平に固設し、該ダクト中に医療用ガスを供給したり真空吸引用のための各種配管、および、電気系統の各種配線を配設し、該各配管と連通する各種プラグが実装された配管接続パネルおよび該各配線と連なる各種コンセントが実装された電気系統接続パネルを該ダクトの開口に取着することにより該開口の一部が該配管接続パネルおよび電気系統接続パネルによって閉じられるようにし、箱状の医療機器の背面にフックを突設し、該フックを前記ダクトの開口縁に引っ掛けて該医療機器を手術室壁面に取着することにより該開口の一部が該医療機器の背面によって閉じられるようにするとともに、該医療機器の背面を貫通させて前記各配管、前記各配線を該医療機器に接続し、該ダクトの開口のうち前記配管接続パネルおよび前記電気系統接続パネルおよび前記医療機器によって閉じられていない部分には表装蓋部材を取着することで該開口を閉じてなることを特徴とする手術室の内壁面構造。
【請求項２】
一側面が開口した横断面略コ字状の少なくとも２本のダクトを該開口が室内に面するように手術室壁面内に上下間隔を離してそれぞれ水平に固設し、一方のダクト中に医療用ガスを供給したり真空吸引用のための各種配管を配設し、該各配管と連通する各種プラグが実装された配管接続パネルを該ダクトの開口に取着することにより該開口の一部が該配管接続パネルによって閉じられるようにし、他方のダクト中に電気系統の各種配線を配設し、該各配線と連なる各種コンセントが実装された電気系統接続パネルを該ダクトの開口に取着することにより該開口の一部が該電気系統接続パネルによって閉じられるようにし、箱状の医療機器の背面に上下間隔を離して少なくとも２つのフックを突設し、該各フックを前記各ダクトの開口縁に引っ掛けて該医療機器を手術室壁面に取着することにより該開口の一部が該医療機器の背面によって閉じられるようにするとともに、該医療機器の背面を貫通させて前記各配管、前記各配線を該医療機器に接続し、該各ダクトの開口のうち前記配管接続パネルおよび前記電気系統接続パネルおよび前記医療機器によって閉じられていない部分には表装蓋部材を取着することで該開口を閉じてなることを特徴とする手術室の内壁面構造。
【発明の詳細な説明】
【技術分野】
【０００１】
本発明は、手術室にて使用される各種医療機器にそれぞれ医療用ガスの配管および電気系統の配線をするために合理的に構成された手術室の内壁面構造に関するものである。
【背景技術】
【０００２】
一般に手術室の壁面には、手術、治療、検査等に必要な器材、薬品等を収納するための戸棚、蹴込収納庫等の箱状物、および、保温庫、保冷庫等が埋設される他、画像モニター、コンピュータ等の機材を収納するためのキャビネット（以下、手術室に備えられるこれらの箱状のものを医療機器という。）が埋設状態で配置され、このように壁面内にこれらの医療機器を埋設することにより、手術室の内壁面が平坦になり、掃除、殺菌等を行い易いようにしている。また、必要に応じて手術室に運び込まれる麻酔用機器、内視鏡、心肺装置等の各種医療機器に、笑気ガス、酸素、窒素ガス、空気等の医療用ガスを供給するためのホースや真空吸引機のホースを接続するための各種コネクタが実装された配管接続パネルが手術室壁面に埋設状態で配置されると共に、電力線、通信線等の電気系統の各種配線と連なる各種コンセントが実装された電気系統接続パネルも同じく手術室壁面に埋設状態で配置される。
ところで、このように手術室構築の際に壁面内に埋設されたこれらの医療機器や配管接続パネル、電気系統接続パネル等は、構築後に必要に応じて移動することが困難であるので、手術室のレイアウトを変更できないという問題があると共に、このような箱状の医療機器が埋設されていない部位では壁面内にデッドスペースが生じ、空間が有効活用されていないという問題があった。
【０００３】
一方、下記特許文献１に示された手術室の構築方法は、手術室壁に室外側へ窪ませたアルコープを形成し、各種医療機器を該アルコープに収容することにより、構築後も手術室のレイアウトを変更可能にするものである。
【先行技術文献】
【特許文献】
【０００４】
【特許文献１】特開２００９−２９９４０９号公報
【発明の概要】
【発明が解決しようとする課題】
【０００５】
しかし、医療機器の幅や奥行きは一定でないので、特許文献１に示された手術室では、大きすぎてアルコープに収まらなかったり、アルコープから出っ張って邪魔になったり、或いは小さいとアルコープ内に余計な隙間ができ、掃除、殺菌等を困難にするおそれがあった。
【課題を解決するための手段】
【０００６】
本発明に係る手術室の内壁面構造は、一側面が開口した横断面略コ字状のダクトを該開口が室内に面するように手術室壁面内に水平に固設し、該ダクト中に医療用ガスを供給したり真空吸引用のための各種配管、および、電気系統の各種配線を配設し、該各配管と連通する各種プラグが実装された配管接続パネルおよび該各配線と連なる各種コンセントが実装された電気系統接続パネルを該ダクトの開口に取着することにより該開口の一部が該配管接続パネルおよび電気系統接続パネルによって閉じられるようにし、箱状の医療機器の背面にフックを突設し、該フックを前記ダクトの開口縁に引っ掛けて該医療機器を手術室壁面に取着することにより該開口の一部が該医療機器の背面によって閉じられるようにするとともに、該医療機器の背面を貫通させて前記各配管、前記各配線を該医療機器に接続し、該ダクトの開口のうち前記配管接続パネルおよび前記電気系統接続パネルおよび前記医療機器によって閉じられていない部分には表装蓋部材を取着することで該開口を閉じてなることを特徴とする。
【０００７】
また、本発明に係る手術室の内壁面構造は、一側面が開口した横断面略コ字状の少なくとも２本のダクトを該開口が室内に面するように手術室壁面内に上下間隔を離してそれぞれ水平に固設し、一方のダクト中に医療用ガスを供給したり真空吸引用のための各種配管を配設し、該各配管と連通する各種プラグが実装された配管接続パネルを該ダクトの開口に取着することにより該開口の一部が該配管接続パネルによって閉じられるようにし、他方のダクト中に電気系統の各種配線を配設し、該各配線と連なる各種コンセントが実装された電気系統接続パネルを該ダクトの開口に取着することにより該開口の一部が該電気系統接続パネルによって閉じられるようにし、箱状の医療機器の背面に上下間隔を離して少なくとも２つのフックを突設し、該各フックを前記各ダクトの開口縁に引っ掛けて該医療機器を手術室壁面に取着することにより該開口の一部が該医療機器の背面によって閉じられるようにするとともに、該医療機器の背面を貫通させて前記各配管、前記各配線を該医療機器に接続し、該各ダクトの開口のうち前記配管接続パネルおよび前記電気系統接続パネルおよび前記医療機器によって閉じられていない部分には表装蓋部材を取着することで該開口を閉じてなることを特徴とする。
【発明の効果】
【０００８】
本発明に係る手術室の内壁面構造では、デッドスペースが少なくなるとともに、種々の医療機器がその大きさ、種類等に拘わりなく取り付けられ、新たな医療機器を取り付けることも容易であり、しかも手術室構築後も必要に応じてこれらの医療機器のレイアウトを簡単に変えることができる。また、配管接続パネルおよび配線接続パネルについても、設定位置の変更および増設が簡単にできるので、手術室に運び込まれる種々の医療機器との接続が容易になり使い勝手を向上させる。また、医療機器が床面から浮いた状態で取着されるので、足元が広くなるとともに、床面の掃除がし易くなる。
【図面の簡単な説明】
【０００９】
【図１】本発明に係る手術室の平面図。
【図２】図１のＡ−Ａ線矢視図。
【図３】図１のＢ−Ｂ線矢視図。
【図４】図１のＣ−Ｃ線矢視図。
【図５】図１のＤ−Ｄ線矢視図。
【図６】図２のＥ−Ｅ線断面図。
【図７】図２のＦ−Ｆ線断面図。
【図８】本発明に係る手術室の内壁面の斜視図。
【図９】図６の要部を分解した拡大断面図。
【図１０】図６の要部の斜視図。
【図１１】本発明に係る医療機器の背面の斜視図。
【図１２】図７の要部を分解した拡大断面図。
【図１３】図７の要部を分解した拡大断面図。
【図１４】図２のＧ−Ｇ線断面図。
【図１５】図１４の要部を分解した拡大断面図。
【図１６】図１４の要部の斜視図。
【発明を実施するための最良の形態】
【００１０】
次に本発明に係る手術室の内壁面構造の実施形態を図面とともに説明する。図１において、１ａ〜１ｄはこの医療施設の建屋を構成する支柱、２ａ〜２ｄは該各支柱間に形成された構造壁、３はこの手術室の床面、４はこの手術室の中央に設置された手術台である。図２〜図５にこの手術室の内壁面Ａ〜Ｄをそれぞれ示す。５ａ〜５ｄは手術室内の空気を清浄な状態に保持するために室内の各角部に配設された空気吸込ユニットである。図２に示した内壁面Ａには、図６〜図８および図１４に示したように、複数枚の表装パネル６が鉄鋼材等からなる支柱、梁部材、軸組材、間柱、等の構造材（図示を省略した）により支持することにより張設されるとともに、床面３から約１３０ｃｍの高さに第１のダクト７を水平に設け、該ダクト７の下で床面から約７０ｃｍの高さに第２のダクト８が水平に設けられる。９ａ，９ｂはダクト７およびダクト８をそれぞれ上下から支持している梁部材（構造材）を示す。
【００１１】
該ダクト７および該ダクト８は、図９に拡大して示したように、一側面が開口した横断面略コ字状の鋼材１０と、該鋼材の開口縁の上辺側に固着された型材１１および下辺側に固着された型材１２からなり、鋼材１０の開口縁の上辺側および下辺側に内側折曲縁１３，１４を形成し、アルミを押出成形することにより形成された型材１１および型材１２の各溝中に該内側折曲縁１３，１４を嵌合し該鋼材１０の開口縁を補強している。また、上辺側に固着された型材１１の前縁側下面に嵌合溝１５を形成し、下辺側に固着された型材１３の前縁側に水平縁１６を形成している。１７は嵌合溝１５および水平縁１６の内側で前面に向くように型材１１および型材１２にそれぞれ形成されたビス止用溝である。こうして形成されたダクト７およびダクト８は、その開口７ａ、８ａがそれぞれ室内に面するように、内壁面Ａ内に収容され、表装パネル６の表面とその開口７ａ，８ａの縁とがほぼ面一となるようにしている。そして、図７に示したように、一方のダクト７中に、笑気ガス、酸素、窒素ガス、空気等の医療用ガスを供給したり真空吸引をするための各種配管１８を配設し、他方のダクト８中に、電力線、および、光ファイバー、ＬＡＮケーブル等の通信線等、電気系統の各種配線２０を配設する。
【００１２】
２５は該ダクト７よりもさらに少し上方に水平に固設されたレールで、該レール２５はアルミを押出成形することにより成形され、図１３に示したように、小幅板状であってその上辺と下辺に内側に向けて鉤状に突出する係合縁２６，２７が形成されたもので、該レールもダクト７およびダクト８と同様に表装パネル６の表面とほぼ面一となるように内壁面Ａ内に水平に支持される。なお、２８は該レール２５を支持している梁部材（構造材）である。また、２９は該レールの係合縁２６，２７内に長手方向に沿って摺動可能に設けられた雌ネジ板で、このような雌ネジ板２９を予め複数枚レール２５内に配置しておく。
【００１３】
３０は、前記配管１８と連通するようにダクト７中に設けられた各種プラグ３１を突出させることができる長方形板状の配管接続パネルで、図９に示したように、該配管接続パネルにビス３２を貫挿し、該ビス３２を前記ビス止用溝１７にねじ込むことにより、該配管接続パネル３０を該ダクト７の開口７ａに取着する。これにより該開口７ａの一部が該配管接続パネル３０によって閉じられ、該配管接続パネル３０の表面が表装パネル６の表面と面一となるとともに該配管接続パネルから各種プラグ３１を突出させることができる。
このように、配管接続パネル３０はダクト７に取着するものであるので、この手術室を構築した後でも必要に応じて該配管接続パネル３０をダクト７に沿って水平方向に移動させることで自由に位置設定をすることができるとともに、新たに配管接続パネル３０を増設することも容易となる。
【００１４】
また、３５は前記電気系統の各種配線２０と連なる各種コンセント３６が実装された長方形板状の電気系統接続パネルで、該電気系統接続パネルも配管接続パネル３０と同様にビスを貫挿し、該ビスを前記ビス止用溝１７にねじ込むことにより、図６に示されるようにダクト８の開口８ａに取着される。これにより開口８ａの一部が該電気系統接続パネル３５によって閉じられ、該電気系統接続パネル３５の表面が表装パネル６の表面とほぼ面一となり、該電気系統接続パネルに各種コンセント３６が配備される。
このように、電気系統接続パネル３５はダクト８に取着するものであるので、該電気系統接続パネル３５についても水平方向に自由に位置設定することができ、新たな電気系統接続パネル３５の増設も容易になる。このため必要に応じて手術室に運び込まれる麻酔用機器、内視鏡、心肺装置等の各種医療機器との接続が、長いホースや電源コード等を要することなく容易となり、使い勝手を良好にする。
【００１５】
４０は、手術用具、薬品、等が収容される箱状の医療機器（即ち、戸棚）である。図１１に示したように、この箱状の医療機器の背面には下向鈎状のフック４１とフック４２とを上下間隔を離してそれぞれ突設する。４３，４４は該医療機器４０の背面であって該各フックの基部に水平に固設された補強材である。また、該医療機器４０の背面上部にＬ字形の固定金具４５を固着する。なお、４６は該医療機器４０の背面であってフック４１と同じ高さに開設した連通孔、４７は該医療機器４０の背面であってフック４２と同じ高さに開設した連通孔である。
【００１６】
該医療機器４０は、フック４１をダクト７の開口縁に設けられた型材１２に引っ掛け、フック４２をダクト８の開口縁に設けられた型材１２に引っ掛けることにより、該医療機器４０の背面を表装パネル６の表面に密接した状態で内壁面Ａに取着される。このとき前記補強材４３，４４は型材１２の水平縁１６上に支持される。またこのとき、開口７ａの一部および開口８ａの一部が該医療機器の背面によって閉じられた状態となり、前記連通孔４６が該開口７ａに対面し、連通孔４７が該開口８ａに対面するので、必要に応じて前記配管１８を該連通孔４６を通して該医療機器内に配管し、前記配線２０を該連通孔４７を通して該医療機器内に配線することができる。このとき補強材４３，４４が型材１２の水平縁１６上に支持されるようにすることで大重量にも耐えられるようにする。
【００１７】
こうして医療機器４０を内壁面Ａに取着した状態で前記固定金具４５にビス４８を貫挿し、該ビス４８を前記レール２５中に予め配置された雌ネジ板２９にねじ込む。これによって医療機器４０の浮き上がりを防止し、大地震発生時にも該医療機器４０が脱落することのないようにする。なお、４９は該医療機器４０の上面と天井面との間にできる隙間を覆うために設けられたカバー板で、該カバー板を設けることにより医療機器４０の上面に塵埃等が堆積しないようにする。
【００１８】
また、５０は医療機器４０と同様に内壁面Ａに取着された医療機器の一つである保温庫である。この医療機器５０の場合も背面に突設されたフックをダクト７の開口縁に引っ掛けることにより取着され、該ダクト７を通して必要な配管または配線をすることにより、取着位置を必要に応じて自由に変更することができ、図示したように、前記医療機器４０の一側に隙間なく配置することも可能である。なお、５１は該医療機器５０の上面と天井面との間にできる隙間を覆うために設けられたカバー板である。また、５２は表装パネル６と床面３との境の角部を丸くし、掃除を容易にするために設けられたコーナー部材である。
【００１９】
また、ダクト７の開口およびダクト８の開口のうち、前記配管接続パネル３０、電気系統接続パネル３５および医療機器４０，５０によって閉じられていない部分には、表装蓋部材５５を取着することで閉じる。即ち、図１５に示すように、長方形板状に形成された表装蓋部材５５の上縁部を前記嵌合溝１５に嵌め、下縁部を水平縁１６上に支持し、ビス５６をビス止用溝１７にねじ込むことにより、該表装蓋部材５５を該ダクト７およびダクト８の余りの開口を封止し、該表装蓋部材５５の表面と表装パネル６の表面とがほぼ面一となるようにする。なお、５７は表装蓋部材５５の下縁部に形成された凹溝５８に嵌めることよりビス５６の頭部を隠すとともに表面を平坦にするモール材である。このようにダクト７，８の開口を全て封止することにより、手術室内の空気を外部と遮断するとともに、内壁面Ａを平坦にし、掃除、殺菌等の作業が容易に行われるようにする。
【００２０】
医療機器４０は、上記のようにフック４１，４２をダクト７，８の開口縁に引っ掛けることにより内壁面Ａに取着するものであるので、この手術室を構築した後でも、ダクト７，８に沿って水平方向に移動させ、自由に設定位置を変更することができる。また、ダクト７，８を使用することにより新たな医療機器を増設することも容易となる。
【００２１】
このように本発明に係る手術室の内壁面Ａは、壁面内に医療機器を埋設した従来の手術室のように、壁面内あるいは各医療機器間にデッドスペースが生じることがなく、室内空間を広くすることができる。また、本発明では、医療機器を手術室壁面に取着することで、該医療機器が床面から浮いた状態で取着されるので、床面が広くなり、手術に立ち会う医師、看護師等の足元が広くなって行動し易くするとともに、医療機器を床面に載置した場合のように床面と連なる竪面が凹凸にならないので、床面の清掃もし易くなる。
【００２２】
この手術室の内壁面Ａの構造は、相対する内壁面Ｃにも施されている。即ち、内壁面Ｃは、図４に同様の構成部分を同一符号にて示したように、ダクト７とダクト８とが上下間隔を離してそれぞれ水平に配設され、該ダクト７の上方にレール２５が水平に配設され、該ダクト７、ダクト８に配管１８、配線２０がそれぞれ設けられ、ダクト７に配管接続パネル３０、ダクト８に電気系統接続パネル３５がそれぞれ設けられる。同図４おいて、６１はコンピュータ収納庫、６２はモニター収納庫、６３はＡＶシステム収納庫を示す。これらの箱状の医療機器も前記医療機器４０と同様に背面に突設されたフックをダクト７やダクト８の開口縁に引っ掛けることにより、表装パネル６の表面に密接状態にて取着され、内部に収納された電子機器に対しては、ダクト８内に配設された電気系統の各種配線２０をこれら医療機器の背面を貫通させることで直接接続することができる。これらコンピュータ収納庫６１、モニター収納庫６２、ＡＶシステム収納庫はそれぞれ幅寸法が様々であるが、この内壁面の構造によれば、図示したように、各医療機器を隙間（デッドスペース）を生じさせることなく配置することができるので、室内空間を有効利用でき多数の医療機器を配置しても邪魔になり難い。
【００２３】
また、図３に示したように、内壁面Ｂにはアイソレーションユニット６４および電気系統接続パネル３５が固設される。また、図５に示したように、内壁面Ｄには出入口となるスライドドア６５が設けられている他、時計６６、情報パネル６７、蹴込収納庫６８等が固設される。
【００２４】
この実施形態では上下間隔を離して２本のダクト７，８を設けたことにより、背の高い大型の医療機器でもしっかりと取着することができるとともに、医療用ガス等の各種配管と電気系統の各種配線をそれぞれ別々にダクト７，８に配設することができ、安全性を高めることができる。
なお、上記保温庫のように小型の医療機器は、いずれか一方のダクトに取着するだけでもよい。このため実施形態のように内壁面に２本のダクトを設けなくても、ダクトを１本だけ設け、小型の医療機器の場合は該ダクトに医療機器を引っ掛け、該ダクトを通して配管や配線をするようにしてもよい。
また、この実施形態では、地震時に医療機器が浮き上がってダクトから外れるのを防止するためレール２５を配設したが、この点は他の浮き上がり防止手段をもって代替することも可能である。
【符号の説明】
【００２５】
Ａ〜Ｄ        手術室の内壁面
６            表装パネル
７，８        ダクト
７ａ，８ａ    ダクトの開口
１８          配管
２０          配線
２５          レール
２８          雌ネジ板
３０          配管接続パネル
３１          プラグ
３５          電気系統接続パネル
３６          コンセント
４０          医療機器
４１，４２    フック
４５          固定金具
４６，４７    連通孔
５５          表装蓋部材
【図１】
2013122137.tif 000003
【図２】
2013122137.tif 000004
【図３】
2013122137.tif 000005
【図４】
2013122137.tif 000006
【図５】
2013122137.tif 000007
【図６】
2013122137.tif 000008
【図７】
2013122137.tif 000009
【図８】
2013122137.tif 000010
【図９】
2013122137.tif 000011
【図１０】
2013122137.tif 000012
【図１１】
2013122137.tif 000013
【図１２】
2013122137.tif 000014
【図１３】
2013122137.tif 000015
【図１４】
2013122137.tif 000016
【図１５】
2013122137.tif 000017
【図１６】
2013122137.tif 000018